(57)【要約】  【課題】  より簡便に画像を撮影した撮影位置および撮影方位を記録することができる。  【解決手段】  カメラおよび方位センサを内蔵する撮影方位記録装置であって、表示画面へのタッチを受け付ける入力受付部と、所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成部と、前記タッチ操作が受け付けられると前記カメラを起動させ、前記方位センサからの出力情報を用いて撮影された画像の撮影方位を特定する撮影方位特定部と、を備え、前記表示情報生成部は、前記図面または画像上の前記タッチ操作を受け付けた位置に、前記撮影方位を示す所定形態のアイコンを表示すると共に、撮影した画像を所定位置に配置した前記第２の画面を表示する。【選択図】図２
2020140232.tif 000002
【特許請求の範囲】
【請求項１】
カメラおよび方位センサを内蔵する撮影方位記録装置であって、
表示画面へのタッチを受け付ける入力受付部と、
所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成部と、
前記タッチ操作が受け付けられると前記カメラを起動させ、前記方位センサからの出力情報を用いて撮影された画像の撮影方位を特定する撮影方位特定部と、を備え、
前記表示情報生成部は、
前記図面または画像上の前記タッチ操作を受け付けた位置に、前記撮影方位を示す所定形態のアイコンを表示すると共に、撮影した画像を所定位置に配置した前記第２の画面を表示する
ことを特徴とする撮影方位記録装置。
【請求項２】
請求項１に記載の撮影方位記録装置であって、
前記表示情報生成部は、
前記方位センサからの出力情報を取得する機能がＯＦＦに設定されている場合、撮影方位を選択可能なユーザインターフェースを前記タッチ操作が受け付けられた際に表示し、
前記撮影方位特定部は、
ユーザが選択した方位を撮影方位として特定する
ことを特徴とする撮影方位記録装置。
【請求項３】
請求項２に記載の撮影方位記録装置であって、
前記表示情報生成部は、
前記ユーザインターフェースと共に、撮影方位を指定しない方位なしボタンを表示し、
前記方位なしボタンへのタッチが受け付けられると、前記タッチ操作を受け付けた位置に前記撮影方位を示さない所定形態のアイコンを表示する
ことを特徴とする撮影方位記録装置。
【請求項４】
請求項２に記載の撮影方位記録装置であって、
前記ユーザインターフェースは、
東西南北の４方向ならびに北東、北西、南東および南西の４方向を示す矢印で表される
ことを特徴とする撮影方位記録装置。
【請求項５】
請求項１〜４のいずれか一項に記載の撮影方位記録装置であって、
前記表示情報生成部は、
前記図面または画像に基準方位を設定するユーザインターフェースを表示する
ことを特徴とする撮影方位記録装置。
【請求項６】
請求項５に記載の撮影方位記録装置であって、
前記表示情報生成部は、
前記基準方位に対する前記撮影方位を矢印方向として指し示すアイコンを、前記タッチ操作を受け付けた撮影位置に表示する
ことを特徴とする撮影方位記録装置。
【請求項７】
請求項２に記載の撮影方位記録装置であって、
撮影画像を記憶した記憶部をさらに備え、
前記表示情報生成部は、
前記第１の画面の前記所定のアイコンへのタッチが受け付けられると、前記図面または画像上へのタッチ操作を受け付ける第３の画面を表示し、
前記タッチ操作が受け付けられると、前記記憶部に記憶された撮影済みの画像を選択可能に表示し、
選択された画像の撮影方位を選択可能なユーザインターフェースを表示し、
前記撮影方位特定部は、
ユーザが選択した方位を前記選択された画像の撮影方位として特定し、
前記表示情報生成部は、
前記図面または画像上の前記タッチ操作を受け付けた位置に、前記撮影方位を示す所定形態のアイコンを表示すると共に、撮影した画像を所定位置に配置した前記第３の画面を表示する
ことを特徴とする撮影方位記録装置。
【請求項８】
請求項１〜７のいずれか一項に記載の撮影方位記録装置であって、
前記第１の画面の前記所定のアイコンへのタッチが受け付けられると、前記図面または画像あるいは前記撮影した画像へのタッチ位置の軌跡に応じた描画を行う描画部をさらに備える
ことを特徴とする撮影方位記録装置。
【請求項９】
請求項１に記載の撮影方位記録装置であって、
前記表示情報生成部は、
前記第１の画面の前記所定のアイコンへのタッチが受け付けられると、前記図面または画像上へのタッチ操作を受け付ける第４の画面を表示し、
前記タッチ操作に基づき起動したカメラにより画像が撮影されると、前記図面または画像上の前記タッチ操作を受け付けた位置に、前記撮影された画像を表示した前記第４の画面を表示する
ことを特徴とする撮影方位記録装置。
【請求項１０】
請求項１に記載の撮影方位記録装置であって、
撮影方位を示す前記アイコンに識別番号を付与し、当該アイコンと、前記図面または画像上における撮影位置と、撮影方位と、撮影画像とを関連付けた管理情報を生成する全体制御部をさらに備え、
前記表示情報生成部は、
前記識別番号を入力して前記アイコンの検索指示を受け付けるダイアログを表示し、
前記全体制御部は、
入力を受け付けた前記アイコンの識別番号に基づき当該アイコンの前記図面または画像上における撮影位置、撮影方位および撮影画像を特定し、
前記表示情報生成部は、
前記特定された前記アイコンおよび前記撮影画像を前記図面または画像上に表示する
ことを特徴とする撮影方位記録装置。
【請求項１１】
請求項１に記載の撮影方位記録装置であって、
前記表示情報生成部は、
前記第１の画面の前記所定のアイコンへのタッチが受け付けられると、撮影方位を示した前記アイコンを選択可能に前記図面または画像上に表示し、
選択された前記アイコンの撮影位置および撮影方位で撮影された画像と、当該選択されたアイコンを含む前記図面または画像と、を所定位置に配置したフォーマット情報を生成する
ことを特徴とする撮影方位記録装置。
【請求項１２】
請求項１に記載の撮影方位記録装置であって、
情報を外部装置に送信する通信部をさらに備え、
前記通信部は、
撮影位置および撮影方位を示す前記アイコンを含む前記図面または画像と、前記撮影された画像と、を含む施工情報を前記外部装置に送信する
ことを特徴とする撮影方位記録装置。
【請求項１３】
カメラおよび方位センサを内蔵する撮影方位記録装置およびサーバ装置を有する撮影方位記録システムであって、
前記撮影方位記録装置は、
表示画面へのタッチを受け付ける入力受付部と、
所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成部と、
前記タッチ操作が受け付けられると前記カメラを起動させ、前記方位センサからの出力情報を用いて撮影された画像の撮影方位を特定する撮影方位特定部と、
撮影位置および撮影方位を示す前記アイコンを含む前記図面または画像と、前記撮影された画像と、を含む施工情報を前記サーバ装置に送信する通信部と、を備え、
前記サーバ装置は、
前記撮影方位記録装置から取得した前記施工情報を格納する情報格納部と、
前記撮影方位記録装置からの表示要求を受け付けると、要求対象の前記施工情報を当該撮影方位記録装置に送信する情報送受信部と、を備える
ことを特徴とする撮影方位記録システム。
【請求項１４】
カメラおよび方位センサを内蔵する撮影方位記録装置が行う撮影方位記録方法であって、
前記撮影方位記録装置は、
表示画面へのタッチを受け付ける入力受付ステップと、
所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成ステップと、
前記タッチ操作が受け付けられると前記カメラを起動させ、前記方位センサからの出力情報を用いて撮影された画像の撮影方位を特定する撮影方位特定ステップと、を行い、
前記表示情報生成ステップでは、
前記図面または画像上の前記タッチ操作を受け付けた位置に、前記撮影方位を示す所定形態のアイコンを表示すると共に、撮影した画像を所定位置に配置した前記第２の画面を表示する
ことを特徴とする撮影方位記録方法。
【請求項１５】
カメラおよび方位センサを内蔵するコンピュータを撮影方位記録装置として機能させるプログラムであって、
前記撮影方位記録装置を、
表示画面へのタッチを受け付ける入力受付部と、
所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成部と、
前記タッチ操作が受け付けられると前記カメラを起動させ、前記方位センサからの出力情報を用いて撮影された画像の撮影方位を特定する撮影方位特定部と、して機能させ、
前記表示情報生成部は、
前記図面または画像上の前記タッチ操作を受け付けた位置に、前記撮影方位を示す所定形態のアイコンを表示すると共に、撮影した画像を所定位置に配置した前記第２の画面を表示する
ことを特徴とするプログラム。
【発明の詳細な説明】
【技術分野】
【０００１】
本発明は、撮影方位記録装置、撮影方位記録方法およびプログラムに関するものである。
【背景技術】
【０００２】
特許文献１には、撮影位置および方位付きのデジタルカメラ又は画像付き携帯電話システムが記載されている。
【先行技術文献】
【特許文献】
【０００３】
【特許文献１】特開２００４−４８４２７号公報
【発明の概要】
【発明が解決しようとする課題】
【０００４】
特許文献１に記載の技術では、デジタルカメラにＧＰＳ機能と方位を感知する機能を設け、撮影位置と撮影位置から取得した方位方向に矢印を引いた方向付地図画像を作成する。しかしながら、ＧＰＳ信号を受信できない場所で撮影した場合、撮影位置を特定することができないという問題がある。
【０００５】
本発明は、上記課題に鑑みてなされたものであり、より簡便に画像を撮影した撮影位置および撮影方位を記録することができる撮影方位記録装置の提供を目的とする。
【課題を解決するための手段】
【０００６】
本願は、上記課題の少なくとも一部を解決する手段を複数含んでいるが、その例を挙げるならば、以下のとおりである。上記の課題を解決する本発明の一態様に係る撮影方位記録装置は、カメラおよび方位センサを内蔵する撮影方位記録装置であって、表示画面へのタッチを受け付ける入力受付部と、所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成部と、前記タッチ操作が受け付けられると前記カメラを起動させ、前記方位センサからの出力情報を用いて撮影された画像の撮影方位を特定する撮影方位特定部と、を備え、前記表示情報生成部は、前記図面または画像上の前記タッチ操作を受け付けた位置に、前記撮影方位を示す所定形態のアイコンを表示すると共に、撮影した画像を所定位置に配置した前記第２の画面を表示する。
【０００７】
また、前記表示情報生成部は、前記方位センサからの出力情報を取得する機能がＯＦＦに設定されている場合、撮影方位を選択可能なユーザインターフェースを前記タッチ操作が受け付けられた際に表示し、前記撮影方位特定部は、ユーザが選択した方位を撮影方位として特定しても良い。
【０００８】
また、前記表示情報生成部は、前記ユーザインターフェースと共に、撮影方位を指定しない方位なしボタンを表示し、前記方位なしボタンへのタッチが受け付けられると、前記長押しタッチを受け付けた位置に前記撮影方位を示さない所定形態のアイコンを表示しても良い。
【０００９】
また、前記ユーザインターフェースは、東西南北の４方向ならびに北東、北西、南東および南西の４方向を示す矢印で表されても良い。
【００１０】
また、前記表示情報生成部は、前記図面または画像に基準方位を設定するユーザインターフェースを表示しても良い。
【００１１】
また、前記表示情報生成部は、前記基準方位に対する前記撮影方位を矢印方向として指し示すアイコンを、前記タッチ操作を受け付けた撮影位置に表示しても良い。
【００１２】
また、撮影画像を記憶した記憶部をさらに備え、前記表示情報生成部は、前記第１の画面の前記所定のアイコンへのタッチが受け付けられると、前記図面または画像上へのタッチ操作を受け付ける第３の画面を表示し、前記タッチ操作が受け付けられると、前記記憶部に記憶された撮影済みの画像を選択可能に表示し、選択された画像の撮影方位を選択可能なユーザインターフェースを表示し、前記撮影方位特定部は、ユーザが選択した方位を前記選択された画像の撮影方位として特定し、前記表示情報生成部は、前記図面または画像上の前記タッチ操作を受け付けた位置に、前記撮影方位を示す所定形態のアイコンを表示すると共に、撮影した画像を所定位置に配置した前記第３の画面を表示しても良い。
【００１３】
また、前記第１の画面の前記所定のアイコンへのタッチが受け付けられると、前記図面または画像あるいは前記撮影した画像へのタッチ位置の軌跡に応じた描画を行う描画部をさらに備えても良い。
【００１４】
また、前記表示情報生成部は、前記第１の画面の前記所定のアイコンへのタッチが受け付けられると、前記図面または画像上へのタッチ操作を受け付ける第４の画面を表示し、前記長押しタッチに基づき起動したカメラにより画像が撮影されると、前記図面または画像上の前記タッチ操作を受け付けた位置に、前記撮影された画像を表示した前記第４の画面を表示しても良い。
【００１５】
また、撮影方位を示す前記アイコンに識別番号を付与し、当該アイコンと、前記図面または画像上における撮影位置と、撮影方位と、撮影画像とを関連付けた管理情報を生成する全体制御部をさらに備え、前記表示情報生成部は、前記識別番号を入力して前記アイコンの検索指示を受け付けるダイアログを表示し、前記全体制御部は、入力を受け付けた前記アイコンの識別番号に基づき当該アイコンの前記図面または画像上における撮影位置、撮影方位および撮影画像を特定し、前記表示情報生成部は、前記特定された前記アイコンおよび前記撮影画像を前記図面または画像上に表示しても良い。
【００１６】
また、前記表示情報生成部は、前記第１の画面の前記所定のアイコンへのタッチが受け付けられると、撮影方位を示した前記アイコンを選択可能に前記図面または画像上に表示し、選択された前記アイコンの撮影位置および撮影方位で撮影された画像と、当該選択されたアイコンを含む前記図面または画像と、を所定位置に配置したフォーマット情報を生成しても良い。
【００１７】
また、情報を外部装置に送信する通信部をさらに備え、前記通信部は、撮影位置および撮影方位を示す前記アイコンを含む前記図面または画像と、前記撮影された画像と、を含む施工情報を前記外部装置に送信しても良い。
【００１８】
また、本発明の他の形態は、カメラおよび方位センサを内蔵する撮影方位記録装置およびサーバ装置を有する撮影方位記録システムであって、前記撮影方位記録装置は、表示画面へのタッチを受け付ける入力受付部と、所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成部と、前記タッチ操作が受け付けられると前記カメラを起動させ、前記方位センサからの出力情報を用いて撮影された画像の撮影方位を特定する撮影方位特定部と、撮影位置および撮影方位を示す前記アイコンを含む前記図面または画像と、前記撮影された画像と、を含む施工情報を前記サーバ装置に送信する通信部と、を備え、前記サーバ装置は、前記撮影方位記録装置から取得した前記施工情報を格納する情報格納部と、前記撮影方位記録装置からの表示要求を受け付けると、要求対象の前記施工情報を当該撮影方位記録装置に送信する情報送受信部と、を備える。
【００１９】
また、本発明の他の形態は、カメラおよび方位センサを内蔵する撮影方位記録装置が行う撮影方位記録方法であって、前記撮影方位記録装置は、表示画面へのタッチを受け付ける入力受付ステップと、所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成ステップと、前記タッチ操作が受け付けられると前記カメラを起動させ、前記方位センサからの出力情報を用いて撮影された画像の撮影方位を特定する撮影方位特定ステップと、を行い、前記表示情報生成ステップでは、前記図面または画像上の前記タッチ操作を受け付けた位置に、前記撮影方位を示す所定形態のアイコンを表示すると共に、撮影した画像を所定位置に配置した前記第２の画面を表示する。
【００２０】
また、本発明の他の形態は、カメラおよび方位センサを内蔵するコンピュータを撮影方位記録装置として機能させるプログラムであって、前記撮影方位記録装置を、表示画面へのタッチを受け付ける入力受付部と、所定の図面または画像と所定機能の実行指示を受け付けるアイコンとを表示した第１の画面を表示し、前記アイコンへのタッチが受け付けられると、前記図面または画像上へのタッチ操作を受け付ける第２の画面を表示する表示情報生成部と、前記タッチ操作が受け付けられると前記カメラを起動させ、前記方位センサからの出力情報を用いて撮影された画像の撮影方位を特定する撮影方位特定部と、して機能させ、前記表示情報生成部は、前記図面または画像上の前記タッチ操作を受け付けた位置に、前記撮影方位を示す所定形態のアイコンを表示すると共に、撮影した画像を所定位置に配置した前記第２の画面を表示する。
【発明の効果】
【００２１】
本発明に係る撮影方位記録装置によれば、より簡便に画像を撮影した撮影位置および撮影方位を記録することができる。
【００２２】
上記した以外の課題、構成、および効果は、以下の実施形態の説明により明らかにされる。
【図面の簡単な説明】
【００２３】
【図１】本発明の一実施形態に係る撮影方位記録システムの一例を示した図である。
【図２】本発明の一実施形態に係る撮影方位記録装置の機能構成の一例を示したブロック図である。
【図３】本発明の一実施形態に係るメイン画面の一例を示した図である。
【図４】本発明の一実施形態に係る撮影方位記録装置のハードウェア構成の一例を示した図である。
【図５】本発明の一実施形態に係る北方位を設定するためのユーザインターフェースの一例を示した図である。
【図６】本発明の一実施形態に係る撮影方位記録処理の一例を示したフロー図である。
【図７】本発明の一実施形態に係る撮影前画面の一例を示した図である。
【図８】本発明の一実施形態に係る撮影方位を手動で設定するためのユーザインターフェースの一例を示した図である。
【図９】図９（ａ）は、本発明の一実施形態に係るピンアイコンが表示された撮影前画面（第２の画面）の一例を示した図である。図９（ｂ）は、複数のピンアイコンが表示された第２の画面の一例を示した図である。
【図１０】図１０（ａ）は、本発明の一実施形態に係る直貼り処理前の第４の画面の一例を示した図である。図１０（ｂ）は、直貼り処理後の第４の画面の一例を示した図である。
【図１１】本発明の一実施形態に係る撮影画像および図面を含むフォーマット情報の一例を示した図である。
【発明を実施するための形態】
【００２４】
以下、本発明の実施形態について図面を用いて説明する。
【００２５】
図１は、本実施形態に係る撮影方位記録システム１０００の一例を示した図である。図示するように、撮影方位記録システム１０００は、撮影方位記録装置１００と、サーバ装置２００とを有している。撮影方位記録装置１００は、例えば撮影対象物がある施工現場（例えば、建設現場や水道管の工事現場など）に持ち込んで使用される場合と、オフィスや他の施工現場で使用される場合などがある。撮影方位記録装置１００は、設計図などの図面上に、施工現場で撮影した画像を撮影位置および撮影方位に関連付けた施工情報をサーバ装置２００に送信する。サーバ装置２００は、撮影方位記録装置１００から取得した施工情報を管理する。また、サーバ装置２００は、表示要求を受け付けた撮影方位記録装置１００に施工情報を送信する。
【００２６】
これらの撮影方位記録装置１００と、サーバ装置２００とは、所定のネットワークＮで相互通信可能に接続されている。なお、ネットワークＮは、例えばインターネット等の公衆網やＬＡＮ（Ｌｏｃａｌ  Ａｒｅａ  Ｎｅｔｗｏｒｋ）あるいはＷＡＮ（Ｗｉｄｅ  Ａｒｅａ  Ｎｅｔｗｏｒｋ）などである。
【００２７】
図２は、撮影方位記録装置１００の機能構成の一例を示したブロック図である。図示するように、撮影方位記録装置１００は、演算部１１０と、記憶部１２０と、通信部１３０とを有している。
【００２８】
演算部１１０は、撮影方位記録装置１００の様々な処理を行う中心的な機能部である。具体的には、演算部１１０は、入力受付部１１１と、表示情報生成部１１２と、全体制御部１１３と、撮影方位特定部１１４と、描画部１１５とを有している。
【００２９】
入力受付部１１１は、タッチパネルなどの入力装置を介してユーザからの指示や入力情報を受け付ける機能部である。
【００３０】
表示情報生成部１１２は、ディスプレイなどの表示装置に表示するための画面情報を生成する機能部である。例えば、表示情報生成部１１２は、撮影方位記録装置１００に取り込んだ図面あるいは画像と、ユーザから各種機能の実行指示を受け付けるアイコンとが配置されたメイン画面（以下、第１の画面という場合がある）の画面情報や、その他の画面情報（例えば、メニュー画面や後述の第２〜第５の画面情報など）を生成し、ディスプレイに表示する。また、表示情報生成部１１２は、後述の撮影方位記録処理により、撮影位置および撮影方位を示すピンアイコンを撮影画像と共に図面上に表示する。
【００３１】
図３は、表示情報生成部１１２により表示されたメイン画面３００の一例を示した図である。図示するように、メイン画面３００は、撮影方位記録装置１００が読み込んだ図面の表示領域３１０と、ユーザから各種機能の実行指示を受け付けるアイコンを表示した領域３２０とを有している。
【００３２】
なお、アイコンには、例えば撮影画像の撮影位置および撮影方向を示すピンアイコンを図面上に配置する撮影方位記録処理の実行指示を受け付けるピン配置アイコン３２１がある。また、アイコンには、例えば図面や撮影画像上に重ねて線や図形などを描画する描画機能の実行指示を受け付ける描画ツールアイコン３２２がある。また、アイコンには、例えば図面や撮影画像を出力する指示を受け付ける出力アイコン３２３がある。また、アイコンには、例えば画像の撮影指示を受け付けるアイコン３２４と、動画の撮影指示を受け付けるアイコン３２５と、撮影済みの画像に後からピンを関連付けて図面上に配置する指示を受け付けるアイコン３２６と、撮影済みの動画に後からピンを関連付けて図面上に配置する指示を受け付けるアイコン３２７とがある。また、アイコンには、取り込んだ図面の北方位の設定を受け付ける設定アイコン３２８がある。また、アイコンには、図面上の撮影位置に撮影画像を直接表示する直貼りアイコン３２９がある。
【００３３】
なお、これらのアイコンは、メイン画面（第１の画面）に限られず、後述の第２〜第４の画面においても共通して表示される。
【００３４】
全体制御部１１３は、撮影方位記録装置１００で実行される様々な処理を制御する機能部である。具体的には、全体制御部１１３は、入力受付部１１１を介してユーザから受け付けた指示に応じて、他の機能部の動作を制御する。
【００３５】
撮影方位特定部１１４は、画像の撮影方位を特定する機能部である。具体的には、撮影方位特定部１１４は、ユーザインターフェースを介して取得した情報に基づき図面上の北方位を特定する。また、撮影方位特定部１１４は、撮影方位記録装置１００が装備する方位コンパスから取得した情報に基づき撮影時における撮影方位を特定する。また、撮影方位特定部１１４は、撮影方位の自動取得機能がＯＦＦの場合、入力受付部１１１を介してユーザが手動で設定した情報に基づき撮影方位を特定する。
【００３６】
描画部１１５は、描画機能を提供する機能部である。具体的には、描画部１１５は、タッチパネルに接触した指の軌跡に基づき、図面や撮影画像上に線や図形を重ねて描画する。
【００３７】
記憶部１２０は、様々な情報を記憶する機能部である。例えば、記憶部１２０は、撮影方位記録アプリ、ディスプレイに表示する図面情報、図面上に配置するピンアイコンのピン区分ごとに予め対応付けられた色情報、撮影方位をユーザから手動で受け付けるユーザインターフェース、図面および撮影画像の出力フォーマットあるいは撮影画像と、ピンアイコンの識別番号と、ピン区分と、ピンアイコンを表示する図面上の位置と、図面の識別情報とを対応付けたピン管理情報および各種設定情報など様々な情報が格納されている。
【００３８】
通信部１３０は、外部装置（例えば、サーバ装置２００または他の撮影方位記録装置１００）との間で情報の送受信を行う機能部である。具体的には、通信部１３０は、撮影位置および撮影方向を示すピンアイコンおよび撮影画像が関連付けられた図面を含む施工情報をサーバ装置２００に送信する。また、通信部１３０は、図面や撮影画像を他の装置（例えば、他の撮影方位記録装置１００やＰＣ、スマートフォンなどの装置）に送信する。
【００３９】
以上、撮影方位記録装置１００の機能ブロックについて説明した。
【００４０】
なお、サーバ装置２００は、撮影方位記録装置１００から取得した施工情報などのアップロード情報を記憶する情報格納部と、撮影方位記録装置１００から取得要求を受け付けた施工情報を情報格納部から抽出する情報管理部と、抽出された施工情報を撮影方位記録装置１００に送信する情報送受信部とを有しているものとする。
【００４１】
図４は、撮影方位記録装置１００のハードウェア構成の一例を示した図である。撮影方位記録装置１００は、例えばタブレット端末やスマートフォンなどのモバイル型情報処理端末により実現される。
【００４２】
図示するように、撮影方位記録装置１００は、入力装置４０１と、表示装置４０２と、外部記憶装置４０３と、演算装置４０４と、主記憶装置４０５と、通信装置４０６と、方位センサ４０７と、カメラ４０８と、これらを電気的に相互接続するバス４０９とを有している。
【００４３】
入力装置４０１は、タッチパネルなどのポインティングデバイスやホームボタンである。タッチパネルは、ディスプレイである表示装置４０２と一体的に構成され、ユーザからタッチを受け付けたディスプレイ上の座標およびタッチ時間などの情報を含む信号を出力する。なお、タッチパネルは、例えば１秒未満のタッチ時間を通常のタッチとして検知し、１秒以上のタッチ時間を長押しタッチとして検知する。表示装置４０２は、例えば液晶ディスプレイや有機ディスプレイなどである。なお、入力装置４０１は、長押しタッチに代えて、所定のタッチ操作（例えば、１秒以内に２回タッチパネルをタッチするダブルタップなど所定のタッチ操作）を通常のタッチと異なるタッチ操作として検知するようにしても良い。
【００４４】
外部記憶装置４０３は、デジタル情報を記憶可能なフラッシュメモリなどの不揮発性記憶装置である。
【００４５】
演算装置４０４は、例えばＣＰＵ（Ｃｅｎｔｒａｌ  Ｐｒｏｃｅｓｓｉｎｇ  Ｕｎｉｔ）である。主記憶装置４０５は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリ装置である。
【００４６】
通信装置４０６は、アンテナを介して無線通信を行う無線通信装置である。通信装置４０６は、ネットワークＮに接続されている所定の外部装置（例えば、サーバ装置２００および他の撮影方位記録装置１００）との間で情報通信を行う。
【００４７】
方位センサ４０７は、例えばジャイロコンパスや磁気コンパスなど通常のタブレット端末に装備されている方位を検知可能なセンサである。カメラ４０８は、例えばＣＭＯＳイメージセンサを搭載したＣＭＯＳカメラやＣＣＤイメージセンサを搭載したＣＣＤカメラである。
【００４８】
なお、撮影方位記録装置１００の演算部１１０は、演算装置４０４に処理を行わせるプログラムによって実現される。このプログラムは、撮影方位記録装置１００が撮影方位記録処理などを実行するためのアプリケーションプログラム（アプリ）であり、外部装置からダウンロードすることにより外部記憶装置４０３に記憶される。また、かかるプログラムは、その実行にあたって主記憶装置４０５上にロードされ、演算装置４０４により実行される。なお、記憶部１２０は、主記憶装置４０５または外部記憶装置４０３あるいはこれらの組合せにより実現される。また、通信部１３０は、通信装置４０６により実現される。
【００４９】
また、撮影方位記録装置１００の上記の各構成、機能、処理部および処理手段等は、それらの一部または全部を、例えば集積回路で設計する等によりハードウェアで実現しても良い。また、上記構成、機能は、プロセッサがそれぞれの機能を実現するプログラムを解釈し、実行することによりソフトウェアで実現しても良い。各機能を実現するプログラム、テーブル、ファイル等の情報は、メモリなどの記憶装置またはＩＣカード、ＳＤカード等の記録媒体に置くことができる。
【００５０】
また、撮影方位記録装置１００のハードウェア構成はこれらに限られるものではなく、その他のハードウェアを用いて構成されるものであっても良い。例えば、インターネットを介して入出力を受け付ける装置であっても良い。なお、撮影方位記録装置１００は、図示しないが、ＯＳ（Ｏｐｅｒａｔｉｎｇ  Ｓｙｓｔｅｍ）、ミドルウェア、アプリケーションなどの公知の要素を有し、特にディスプレイなどの入出力装置にＧＵＩ画面を表示するための既存の処理機能を備える。
【００５１】
以上、撮影方位記録装置１００のハードウェア構成について説明した。
【００５２】
なお、サーバ装置２００のハードウェア構成は特に限定されないが、種々の処理を実行可能な高性能な情報処理装置であれば良い。具体的には、サーバ装置２００は、演算装置と、主記憶装置と、外部記憶装置と、通信装置と、これらを電気的に接続するバスとを備える。なお、外部記憶装置は、デジタル情報を記憶可能ないわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。なお、演算装置、主記憶装置、通信装置は、撮影方位記録装置１００と同様であるため説明を省略する。
【００５３】
サーバ装置２００の情報管理部は、演算装置に処理を行わせるプログラムによって実現される。このプログラムは、主記憶装置あるいは外部記憶装置に記憶され、プログラムの実行にあたって主記憶装置上にロードされ、演算装置により実行される。また、情報格納部は、主記憶装置または外部記憶装置あるいはこれらの組み合わせにより実現される。また、情報送受信部は、通信装置により実現される。
【００５４】
以上、サーバ装置２００のハードウェア構成について説明した。
【００５５】
［動作の説明］
次に、撮影方位記録装置１００が提供する様々な機能およびその処理について説明する。
【００５６】
（図面の北方位設定機能）
撮影方位記録装置１００は、図面の北方位を設定する機能をユーザに提供する。具体的には、全体制御部１１３は、表示情報生成部１１２を介して、図面または画像の取り込み指示を受け付けるアイコンを所定画面に表示してユーザの指示を受け付ける。また、かかるアイコンへのタッチを受け付けると、全体制御部１１３は、予め記憶部１２０に格納されている図面（または画像）を取得し、表示情報生成部１１２を介して、取得した図面と所定のアイコンとを表示したメイン画面（第１の画面）を表示する。なお、以下の各機能の説明では、所定の図面が取り込まれていることを前提とする。
【００５７】
また、全体制御部１１３は、入力受付部１１１を介して、メイン画面に表示した設定アイコン３２８へのタッチを受け付ける。また、かかるアイコンへのタッチを受け付けると、撮影方位特定部１１４は、表示情報生成部１１２を介して、図面上に北方位を設定するためのユーザインターフェースを表示する。
【００５８】
図５は、北方位を設定するためのユーザインターフェースの一例を示した図である。ユーザは、かかるインターフェース５００を回転させて図面の北方位を定めると、確定ボタン５０１をタッチして設定を完了する。撮影方位特定部１１４は、入力受付部１１１を介して確定ボタン５０１へのタッチを受け付けると、ユーザインターフェースの北方位が指し示す方向を図面の北方位として特定し、これを図面に対応付けて記憶部１２０に格納する。
【００５９】
このように、ユーザは、手動で図面上に北方位を設定することができる。これにより、ユーザの居る場所が方位センサから方位を取得できない場所か否かにかかわらず、撮影方位の基準となる図面上の北方位を設定することができる。
【００６０】
（撮影方位記録機能）
撮影方位記録装置１００は、撮影方位記録機能をユーザに提供する。撮影方位記録装置１００は、かかる機能を実行する際、撮影方位記録処理を実行する。
【００６１】
図６は、撮影方位記録処理の一例を示したフロー図である。図示するように、かかる処理は、入力受付部１１１がメイン画面上に表示されたピン配置アイコン３２１へのタッチを受け付けると開始される。なお、撮影方位を記録する図面は予めユーザにより選択されており、ディスプレイにはメイン画面が表示されているものとする。
【００６２】
処理を開始すると、全体制御部１１３は、表示情報生成部１１２を介して、ピン区分を設定するアイコン（以下、ピン区分設定アイコンという）と、撮影方位の自動取得機能のＯＮ／ＯＦＦを設定するアイコン（以下、自動方位設定アイコンという）とをメイン画面上に表示した撮影前画面（以下では、第２の画面という場合がある）を表示する（ステップＳ００１）。
【００６３】
図７は、撮影前画面の一例を示した図である。撮影前画面５５０には、メイン画面に表示された図面および所定のアイコンに加えて、ピン区分設定アイコン５５１と、自動方位設定アイコン５５２とが表示されている。
【００６４】
なお、ピン区分とは、例えば給水、配水、ガス、配水、修繕といった施工種類の識別区分であって、予め施工種類ごとに異なる色が対応付けられて記憶部１２０に記憶されている。撮影方位の自動取得機能とは、撮影方位記録装置１００に装備されている方位センサ４０７から撮影方位を取得する機能である。例えば、手動で撮影方位を設定したい場合、ユーザはかかる機能をＯＦＦに設定する。これにより、方位センサ４０７が正常に稼働しない施工現場においてユーザが手動で方位を設定できるようになる。
【００６５】
全体制御部１１３は、入力受付部１１１を介してピン区分設定アイコン５５１へのタッチを受け付けると、表示情報生成部１１２を介してピン区分を選択するポップアップ画面を表示する（図示せず）。また、全体制御部１１３は、入力受付部１１１を介してピン区分のいずれか１つが選択されると、これをピン区分の設定情報として記憶部１２０に一時的に格納する。
【００６６】
また、全体制御部１１３は、入力受付部１１１を介して自動方位設定アイコン５５２へのタッチを受け付けると、表示情報生成部１１２を介して撮影方位の自動取得機能のＯＮまたはＯＦＦの選択を受け付けるポップアップ画面を表示する（図示せず）。また、全体制御部１１３は、入力受付部１１１を介してＯＮまたはＯＦＦの一方が選択されると、これを撮影方位の自動取得機能の設定情報として記憶部１２０に一時的に格納する。
【００６７】
次に、入力受付部１１１は、ディスプレイに表示した図面の所定位置（例えば、撮影位置に相当する箇所）への長押しタッチを受け付けたか否かを判定する（ステップＳ００２）。そして、長押しタッチを受け付けていないと判定した場合（ステップＳ００２でＮｏ）、入力受付部１１１は、再度ステップＳ００２の処理を行う。一方で、長押しタッチを受け付けたと判定した場合（ステップＳ００２でＹｅｓ）、入力受付部１１１は、処理をステップＳ００３に移行する。
【００６８】
ステップＳ００３では、撮影方位特定部１１４は、撮影方位の自動取得機能がＯＮか否かを判定する。具体的には、全体制御部１１３は、記憶部１２０に格納されている設定情報を用いてかかる機能がＯＮであるか否かを判定する。そして、撮影方位の自動取得機能がＯＮに設定されていると判定した場合（ステップＳ００３でＹｅｓ）、撮影方位特定部１１４は、カメラを起動させると共に、処理をステップＳ００５に移行する。
【００６９】
一方で、撮影方位の自動取得機能がＯＮに設定されていないと判定した場合（ステップＳ００３でＮｏ）、撮影方位特定部１１４は、表示情報生成部１１２を介して、撮影方位を手動で設定するユーザインターフェースをディスプレイに表示して、ユーザから撮影方位の設定を受け付ける（ステップＳ００４）。なお、撮影方位特定部１１４は、予め設定されている図面の北方向を記録部から取得し、ユーザインターフェースと併せてディスプレイの所定位置に表示する。
【００７０】
図８は、撮影方位を手動で設定するためのユーザインターフェースの一例を示した図である。図示するように、ユーザインターフェース６００は、東西南北の４方向ならびに北東、北西、南東および南西の４方向を示す矢印で表される。なお、ディスプレイには、方位を設定しない方位なしボタン６０１が併せて表示される。ユーザが、例えば図面の北方位を参考にしつつ、ユーザインターフェース６００の一つの方位を選択するか、方位なしボタン６０１を選択すると、手動による撮影方位の設定が完了する。入力受付部１１１がユーザインターフェース６００のいずれか一つの方位か、方位なしボタン６０１へのタッチを受け付けると、撮影方位特定部１１４は、受け付けた方位（または方位なし）を手動方位設定情報として一時的に記憶部１２０に格納する。また、撮影方位特定部１１４は、カメラ４０８を起動させると共に、処理をステップＳ００５に移行する。
【００７１】
ステップＳ００５では、全体制御部１１３は、撮影が行われたか否かを判定する。具体的には、全体制御部１１３は、入力受付部１１１を介してシャッターボタンへのタッチを受け付けたか否かを判定する。そして、シャッターボタンへのタッチを受け付けていないと判定した場合（ステップＳ００５でＮｏ）、全体制御部１１３は、再度ステップＳ００５の処理を行う。一方で、シャッターボタンへのタッチを受け付けたと判定した場合（ステップＳ００５でＹｅｓ）、全体制御部１１３は、表示情報生成部１１２を介して、図面上の長押しタッチを受け付けた位置に撮影方位を示すピンアイコンなどを含む画面情報を表示する（ステップＳ００６）。
【００７２】
具体的には、全体制御部１１３は、シャッターボタンへのタッチを受け付けると、方位センサ４０７または記憶部１２０に格納されている手動方位設定情報を用いて撮影方位を特定する。また、全体制御部１１３は、記憶部１２０に格納されている設定情報からピン区分を特定する。また、全体制御部１１３は、ピンアイコンに付与する識別番号を生成する。また、全体制御部１１３は、撮影された画像と、ピンアイコンの識別番号と、ピン区分と、長押しタッチを受け付けた図面上の位置（座標）および撮影方位と、図面の識別情報とを対応付けて、ピン管理情報として記憶部１２０に格納する。
【００７３】
また、全体制御部１１３は、表示情報生成部１１２を介して、図面上の長押しタッチを受け付けた位置に、特定したピン区分であって撮影方位を示す所定形態のピンアイコンを表示する。具体的には、表示情報生成部１１２は、図面上における北方位（基準方位）に対する撮影方位を矢印方向として指し示すピンアイコンを、長押しタッチを受け付けた撮影位置に表示する。また、全体制御部１１３は、表示情報生成部１１２を介して、かかるピンアイコンを表示すると共に、撮影した画像を図面上の所定領域に表示する。なお、方位なしが設定されている場合、全体制御部１１３は、方位を示さないピンアイコンの生成指示を表示情報生成部１１２に出力する。
【００７４】
図９（ａ）は、撮影位置に撮影方位を示すピンアイコンが表示された画面情報（撮影前画面）６５０の一例を示した図である。図示するように、撮影前画面６５０上には、撮影位置に撮影方位を示すピンアイコン６５１と、ピンアイコン６５１に関連付けられた撮影画像を表示する表示領域６５２とが表示されている。なお、ピンアイコン６５１は、図面上における北方位（図９（ａ）の図面では、画面左下方向）に対し、撮影方位（図９（ａ）では、東方位）を矢印で示している。また、ピンアイコン６５１は、ピン区分に応じた色で表され、ピンアイコンの識別番号が示されている。
【００７５】
なお、複数のピンアイコンが図面上に表示されている場合、全体制御部１１３は、入力受付部１１１を介していずれかのピンアイコンへのタッチを受け付けると、タッチされたピンアイコンに対応付けられている撮影画像を表示するよう表示情報生成部１１２に指示を出力する。表示情報生成部１１２は、記憶部１２０のピン管理情報を参照し、タッチされた図面上の位置（例えば、座標値）が対応付けられているピンアイコンの識別番号および撮影画像を特定する。また、全体制御部１１３は、記憶部１２０から取得した撮影画像を図面上の表示領域６５２に配置した撮影前画面を生成して表示する。
【００７６】
ステップＳ００６を行うと、全体制御部１１３は、他の処理の実行指示を受け付けたか否かを判定する（ステップＳ００７）。具体的には、全体制御部１１３は、入力受付部１１１を介して、撮影前画面に表示されているアイコンであって、他の処理の指示を受け付ける所定アイコン（例えば、描画ツールアイコン３２２など）へのタッチを受け付けたか否かを判定する。そして、かかるアイコンへのタッチを受け付けたと判定した場合（ステップＳ００７でＹｅｓ）、本フローを終了する。一方で、所定アイコンへのタッチを受け付けていないと判定した場合（ステップＳ００７でＮｏ）、全体制御部１１３は、処理をステップＳ００２に移行する。
【００７７】
なお、ステップＳ００２では、前述の通り、ディスプレイには撮影位置に対する長押しタッチを受け付ける撮影前画面が表示されている。すなわち、カメラ４０８による画像の撮影が終わると、撮影後のディスプレイには撮影方位を示すピンアイコンや撮影画像を含む撮影前画面が表示され、直ぐに新たな撮影が可能な状態となる。これにより、ユーザは、ディスプレイの長押しタッチとカメラのシャッターボタンのタッチを繰り返すだけで、撮影方位を記録しながらスムーズに複数の画像を撮影することができる。
【００７８】
図９（ｂ）は、複数のピンアイコンが表示された撮影前画面６６０の一例を示した図である。図面上には、ステップＳ００２〜ステップＳ００７の処理が繰り返えされたことにより、ピンアイコン６５１に加えてピンアイコン６６１、６６２が表示されている。なお、ピンアイコン６６２は、撮影方位が設定されていない場合（方位なしの設定）のピンアイコンを示している。
【００７９】
また、撮影方位を示すピンアイコンは、施工種類に応じてピン区分を設定し、ピン区分ごとに色分けして表示することができる。そのため、図面上に表示されたピンアイコンがどの種類の施工に関連する画像が対応付けられているのかを視覚的に認識することができる。
【００８０】
また、撮影方位記録装置１００では、撮影方位を手動で設定できる。そのため、方位センサ４０７が正常にはたらかない施工現場においても、ユーザは、予め図面に設定してある北方位を参考にしながら撮影方位を手動で設定することができる。
【００８１】
なお、ユーザは、撮影方位記録装置１００に表示される所定の画面（例えば、メニュー画面など）からピンアイコンや撮影画像を関連付けた施工情報などをサーバにアップロードすることができる。具体的には、全体制御部１１３は、入力受付部１１１を介して、メニュー画面に表示したアップロードボタンへのタッチを受け付ける。また、ユーザによりアップロードボタンがタッチされると、全体制御部１１３は、通信部１３０を介して、ピンアイコンおよびこれに関連付けられた撮影画像を含む施工情報を最新の情報としてサーバ装置２００に送信する。
【００８２】
このように、施工情報をサーバ装置２００で管理するため、例えば施工現場以外の場所にいても、施工情報をダウンロードすることで視覚的に確認することができる。
【００８３】
（撮影済みの画像に後からピンを関連付けて図面上に配置する機能）
撮影方位記録装置１００は、撮影済みの画像に後からピンアイコンを関連付けて図面上に配置する機能をユーザに提供する。
【００８４】
全体制御部１１３は、メイン画面上でピン配置アイコン３２１へのタッチを受け付けた状態で、かかる機能の実行指示を受け付けるアイコン（例えば、アイコン３２６）へのタッチを受け付けると、表示情報生成部１１２を介して第３の画面をディスプレイに表示する。なお、第３の画面は、撮影前画面５５０の表示構成と同様のため説明を省略する。
【００８５】
ここで、全体制御部１１３は、入力受付部１１１を介して、図面上にピンアイコンを配置する位置への長押しタッチを受け付ける。そして、長押しタッチを受け付けると、全体制御部１１３は、記憶部１２０から撮影済みの画像を取得し、表示情報生成部１１２を介してこれらの画像をサムネイル形式で選択可能にディスプレイに表示する。また、画像の１つがユーザによって選択されると、全体制御部１１３は、入力受付部１１１を介して選択された画像を特定する。
【００８６】
次に、全体制御部１１３は、表示情報生成部１１２を介して、選択された画像の撮影方位を手動で設定するユーザインターフェース６００をディスプレイに表示する。なお、かかるユーザインターフェース６００は、図８に示したものと同じであり、ユーザによる設定方法も前述と同様のため説明を省略する。
【００８７】
全体制御部１１３は、入力受付部１１１を介してユーザインターフェース６００のいずれか一つの方位か、方位なしボタン６０１へのタッチを受け付けると、手動方位設定情報として一時的に記憶部１２０に格納する。
【００８８】
また、全体制御部１１３は、表示情報生成部１１２を介して、長押しタッチを受け付けた図面上の位置に、所定のピン区分であって撮影方位を示す所定形態のピンアイコンを表示し、選択された画像を図面上の所定の表示領域に表示した第３の画面をディスプレイに表示する。なお、ピンアイコンおよび撮影画像が表示された第３の画面は図９（ａ）および（ｂ）と同様のため説明を省略する。
【００８９】
なお、ディスプレイには第３の画面が表示された状態が維持されているため、ユーザは、同様の処理を続けて行いたい場合、ディスプレイに表示されている図面を長押しタッチすれば、撮影済みの画像に関連付けたピンアイコンを図面上に表示することができる。
【００９０】
このような機能によれば、撮影した画像に関する撮影位置および撮影方位を後から図面上に記録させることができる。そのため、例えば施工現場における撮影画像を他の装置から取得した場合でも、後から図面上にその撮影画像の撮影位置および撮影方位を記録することができる。
【００９１】
（描画機能）
撮影方位記録装置１００は、図面および撮影画像への描画機能をユーザに提供する。
【００９２】
描画部１１５は、入力受付部１１１を介してメイン画面（第１の画像）、撮影前画面（第２の画面）あるいは第３の画面上に表示されている描画ツールアイコン（例えば、直線、曲線、所定の図形およびテキストなど）３２２へのタッチを受け付けると、図面あるいは撮影画像上に選択された描画ツールの種類に応じた描画を行う。
【００９３】
具体的には、描画部１１５は、入力受付部１１１を介してタッチされた図面あるいは撮影画像上の位置を特定する。また、描画部１１５は、選択された描画ツールが直線あるいは曲線の場合、特定した図面または撮影画像上のタッチ位置の軌跡に従った直線や曲線の描画を行う。また、描画部１１５は、選択された描画ツールが図形やテキストの場合、図面あるいは撮影画像上のタッチ位置に所定の図形やテキスト入力エリアを表示する。
【００９４】
このような描画機能により、ユーザは、図面や撮影画像上に線や図形あるいはテキストを描画することができる。これにより、例えば注視する場所やメモを記録することができる。
【００９５】
（画像の直貼り機能）
撮影方位記録装置１００は、画像の直貼り機能をユーザに提供する。
【００９６】
全体制御部１１３は、入力受付部１１１を介して、メイン画面（第１の画像）、撮影前画面（第２の画面）あるいは第３の画面上に表示されている直貼りアイコン３２９へのタッチを受け付けると、表示情報生成部１１２を介して、撮影画像の直貼り処理を行う第４の画面の画面情報を生成し表示する。図１０（ａ）は、撮影画像の直貼り処理前の第４の画面の一例を示した図である。図示するように、第４の画面７００には、図面の表示領域３１０内の図面と、所定のアイコン３２１〜３２９とが表示されている。
【００９７】
全体制御部１１３は、第４の画面７００が表示されている状態で、撮影指示を受け付けるアイコン７５１がタッチされると、撮影画像を直貼りする図面上の位置に長押しタッチがされるのを待機する。また、図面に対する長押しタッチを受け付けると、全体制御部１１３は、カメラ４０８を起動させ、シャッターボタンがタッチされるのを待機する。また、シャッターボタンへのタッチを受け付けると、全体制御部１１３は、撮影された画像を記憶部１２０に格納すると共に、長押しタッチがされた図面上の位置に所定の大きさで撮影画像を表示した第４の画面を表示する。なお、全体制御部１１３は、撮影画像と長押しタッチされた図面上の位置とを対応付けて記憶部１２０に格納する。
【００９８】
図１０（ｂ）は、直貼り処理後の第４の画面７５０の一例を示した図である。図示するように、図面上の長押しタッチを受け付けた位置には、撮影画像７５３が所定の大きさで直接表示されている。
【００９９】
また、第４の画面７５０が表示されている状態で、撮影済み画像の直貼り指示を受け付けるアイコン７５２がタッチされると、撮影済みの画像が長押しタッチを受け付けた図面上の位置に直貼りされる。なお、長押しタッチを受け付けた後の処理は、撮影済みの画像に後からピンを関連付けて図面上に配置する機能で実行される処理と同様のため説明を省略する。
【０１００】
このような画像の直貼り機能により、ユーザは、図面を見ながら直接撮影画像を確認することができる。
【０１０１】
（ピンアイコンの検索機能）
撮影方位記録装置１００は、図面上に配置されているピンアイコンの検索機能をユーザに提供する。
【０１０２】
全体制御部１１３は、表示情報生成部１１２を介して、取り込む図面の選択を受け付ける第５の画面において、ピンアイコンの検索を受け付けるピン検索アイコンを表示する。また、全体制御部１１３は、ピン検索アイコンがタッチされると、表示情報生成部１１２を介して、検索ピン入力ダイアログを表示する。なお、かかるダイアログには、検索するピンの識別番号を入力する欄と、テンキーと、検索ボタンとが表示されている。ユーザは、テンキーをタッチして検索したいピンアイコンの識別番号を入力し、検索ボタンをタッチする。
【０１０３】
全体制御部１１３は、入力受付部１１１を介して入力されたピンアイコンの識別番号を取得すると、記憶部１２０に格納されているピン管理情報を用いて、検索対象のピンアイコンの位置およびピン区分と、かかるピンアイコンに関連付けられている図面識別情報および撮影画像とを特定する。また、全体制御部１１３は、表示情報生成部１１２を介して、特定した図面上の位置に検索対象のピンアイコンと、撮影画像とを表示したメイン画面（第１の画面）の画面情報を生成し表示する。
【０１０４】
このようなピンアイコンの検索機能により、ユーザは、多数あるピンアイコンの中から確認したいピンアイコンおよび撮影画像を簡単に検索して表示させることができる。
【０１０５】
（出力機能）
撮影方位記録装置１００は、様々な形態の出力機能をユーザに提供する。
【０１０６】
全体制御部１１３は、入力受付部１１１を介して、第１の画面〜第４の画面に表示されている出力アイコン３２３へのタッチを受け付けると、出力フォーマットの選択画面をポップアップ表示するよう表示情報生成部１１２に指示を出力する。
【０１０７】
出力フォーマットの選択画面には、図面全体と、写真のみと、図面＋写真の３種類の出力形態が選択可能に表示されている。ユーザは、所望するいずれかの出力形態をタッチする。
【０１０８】
全体制御部１１３は、入力受付部１１１を介して、図面全体へのタッチを受け付けると、表示情報生成部１１２を介して、メイン画面に表示している図面を所定の形式（例えば、ＰＤＦ）に変換したプレビュー画面を表示する。なお、全体制御部１１３は、入力受付部１１１を介して、プレビュー画面に表示されている実行アイコンへのタッチを受け付けると、通信部１３０を介して、所定の出力先に図面情報を送信する。
【０１０９】
また、全体制御部１１３は、入力受付部１１１を介して、写真のみへのタッチを受け付けると、表示情報生成部１１２を介して、それ以前の操作によってピンアイコンが配置された図面を表示する。また、全体制御部１１３は、入力受付部１１１を介して、ピンアイコンの選択を受け付ける。なお、ピンアイコンは複数選択することができる。ユーザは、ピンアイコンをタッチしたり、複数のピンアイコンを含む領域を囲むように図面上をなぞることにより、出力する画像が対応付けられているピンアイコンを選択する。
【０１１０】
全体制御部１１３は、入力受付部１１１を介して、選択されたピンアイコンを特定すると、ピン管理情報を用いて、選択されたピンアイコンに関連付けられている撮影画像を特定し、表示情報生成部１１２を介して、特定した撮影画像をサムネイル形式で表示する。ユーザは、サムネイル形成で表示された撮影画像のうち、出力したい画像を選択する。
【０１１１】
全体制御部１１３は、表示情報生成部１１２を介して、選択された画像を所定の形式（ＰＤＦ）に変換したプレビュー画面を表示する。また、全体制御部１１３は、入力受付部１１１を介して、プレビュー画面に表示されている実行アイコンへのタッチを受け付けると、通信部１３０を介して、所定の出力先に撮影画像を送信する。
【０１１２】
また、全体制御部１１３は、入力受付部１１１を介して、図面＋写真へのタッチを受け付けると、表示情報生成部１１２を介して、それ以前の操作によってピンアイコンが配置された図面を表示する。また、全体制御部１１３は、入力受付部１１１を介して、ピンアイコンの選択を受け付ける。なお、ピンアイコンの選択は、写真のみへのタッチを受け付けた場合と同様のため、説明を省略する。
【０１１３】
全体制御部１１３は、入力受付部１１１を介して、選択されたピンアイコンを特定すると、ピン管理情報を用いて、選択されたピンアイコンに関連付けられている撮影画像を特定し、表示情報生成部１１２を介して、特定した撮影画像をサムネイル形式で表示する。ユーザは、サムネイル形成で表示された撮影画像のうち、出力したい画像を選択する。
【０１１４】
全体制御部１１３は、表示情報生成部１１２を介して、選択された画像と、かかる撮影画像が関連付けられているピンアイコンを含む図面上の領域とを所定の位置に配置したフォーマットを所定の形式（ＰＤＦ）に変換し、プレビュー画面として表示する。また、全体制御部１１３は、入力受付部１１１を介して、プレビュー画面に表示されている実行アイコンへのタッチを受け付けると、通信部１３０を介して、所定の出力先にかかるフォーマット情報を送信する。
【０１１５】
図１１は、撮影画像および図面を含むフォーマット情報８００の一例を示した図である。図示する例では、撮影画像８０１と、かかる画像に関連付けられているピンアイコンを含む図面８０２とが上下に配置されている。
【０１１６】
このような出力機能により、ユーザは、所望の撮影画像やピンアイコンを配置した図面あるいはその両方を含む情報を簡単な操作で送信することができる。特に、撮影画像と、関連するピンアイコンを含む図面とを配置したフォーマットを簡単に生成することができるため、予め所望のフォーマットを登録しておくことにより、簡単な操作で報告書や帳票を生成することができる。
【０１１７】
なお、前述の実施形態では画像を撮影して撮影方位と関連付けて記憶する例について説明したが、本発明はこれに限られるものではなく、画像に代えて動画を撮影し、撮影位置および撮影方位と関連付けて図面上に記憶させることも可能である。具体的には、第１の画面などにおいてピン配置アイコンを選択した上で、写真撮影アイコンではなく動画撮影アイコンを選択することで動画撮影を実行する撮影前画面が表示される。
【０１１８】
なお、上記の実施形態および変形例は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加、削除、置換をすることが可能である。
【符号の説明】
【０１１９】
１０００・・・撮影方位記録システム、１００・・・撮影方位記録装置、１１０・・・演算部、１１１・・・入力受付部、１１２・・・表示情報生成部、１１３・・・全体制御部、１１４・・・撮影方位特定部、１１５・・・描画部、１２０・・・記憶部、１３０・・・通信部、２００・・・サーバ装置、４０１・・・入力装置、４０２・・・表示装置、４０３・・・外部記憶装置、４０４・・・演算装置、４０５・・・主記憶装置、４０６・・・通信装置、４０７・・・方位センサ、４０８・・・カメラ、４０９・・・バス
【図１】
2020140232.tif 000003
【図２】
2020140232.tif 000004
【図３】
2020140232.tif 000005
【図４】
2020140232.tif 000006
【図５】
2020140232.tif 000007
【図６】
2020140232.tif 000008
【図７】
2020140232.tif 000009
【図８】
2020140232.tif 000010
【図９】
2020140232.tif 000011
【図１０】
2020140232.tif 000012
【図１１】
2020140232.tif 000013